(57)【要約】【課題】確実にデータ記憶モジュールを付加的に取り付けることができ、製品の外径を大きくすることなくデータ記憶機能を保有することができ、多機能化を図ることができるＵＳＢメモリモジュールを有する構造体を提供する。【解決手段】  ＵＳＢメモリモジュールを有する構造体は、ハウジング１０と記憶装置２０を有する。ハウジング１０は中空で、その内部に収納室１１を有する。データ記憶装置２０のメモリモジュール２２がハウジング１０の収納室１１に部分的に収納され、かつ、ハウジング１０から部分的に露出している。【選択図】図２
2011123858.tif 000002
【特許請求の範囲】
【請求項１】
a) 中空で内部に収納室を有するハウジングと、
b)
(i)前端を有する支持座と、前記支持座の前端に取り付けられた後端と複数の第1金属接点とを有する第１折畳み部と、複数の第２金属接点を有する第２折畳み部とを有する折畳み自在な接続プラグと、
(ii) 内表面と外表面とを有する基板と、少なくとも１つの電子部品を前記基板の内表面に取り付けたメモリモジュールとを具備するデータ記憶装置と、を具備するＵＳＢメモリモジュールを有する構造体であって、
複数の第３の金属接点が前記基板の外表面に取り付けられ、前記基板は、少なくとも前記１つの電子部品と前記複数の前記第３の金属接点に電気的に接続され、前記第１折畳み部の前記複数の第1金属接点と、前記第２折畳み部の前記複数の第２金属接点とは、複数の導電体を介して、前記複数の第３の金属接点に電気的に接続され、前記メモリモジュールは、前記ハウジングの収納室に部分的に収納されており、かつ、部分的に前記収納室から露出していることを特徴とするＵＳＢメモリモジュールを有する構造体。
【請求項２】
前記折畳み自在な接続プラグは前記ハウジングの前記ハウジング内に収納されることを特徴とする請求項1記載のＵＳＢメモリモジュールを有する構造体。
【請求項３】
前記折畳み自在な接続プラグの前記第１折畳み部と前記第２折畳み部が前記ハウジングから露出し、筒状体が前記ハウジングに組み合わされ、組み合わせ体内に第１折畳み部と前記第２折畳み部とが収納されることを特徴とする請求項1記載のＵＳＢメモリモジュールを有する構造体。
【請求項４】
前記ハウジングは外周部を有し、付属部品が前記外周部に取り付けられていることを特徴とする請求項１記載のＵＳＢメモリモジュールを有する構造体。
【請求項５】
前記付属部品は押圧部品を取り付けるための収納部を有し、前記押圧部品は、
作動板と、
前記作動板の端部における外表面上に取り付けられている押圧部材と、
前記作動板の一端における内表面上に取り付けられている弾性部材とを具備し、  
前記押圧部材と前記弾性部材とは、相互に対応して取り付けられていることを特徴とする請求項５記載のＵＳＢメモリモジュールを有する構造体。
【請求項６】
前記第１折畳み部は側面に第1スロットを有し、前記 第２折畳み部は側面に第２スロットを有し、前記第1スロットと前記第２スロットとは隣接して設けられ、前記第1スロットと前記第２スロットに対応して前記ハウジングの内面を貫通して開口が設けられ、前記作動板の端部が前記開口を貫通して前記1スロットと前記第２スロットに嵌入当接されることを特徴とする請求項５記載のＵＳＢメモリモジュールを有する構造体。
【請求項７】
前記第１折畳み部の前記第1金属接点及び前記第２折畳み部の前記第２金属接点は、少なくともＵＳＢ，ミニＵＳＢ、マイクロミニＵＳＢ及びｅ−ＳＡＴＡのデジタルデータ送信仕様に適合するものであることを特徴とする請求項１記載のＵＳＢメモリモジュールを有する構造体。
【請求項８】
a) 中空で内部に収納室を形成するハウジングと、
b)
(i)前記ハウジングの前記収納室内に収納され、前記連結プラグの後端に取り付けられている前端と後端とを有する支持座と、複数の金属接点とを有する接続プラグと、
(ii) 前記支持座の前記後端に取り付けられている前端と、内表面と外表面とを有する基板と、前記基板の内表面に取り付けた少なくとも１つの電子部品を有するメモリモジュールとを具備するデータ記憶装置と、を具備するメモリモジュールを有する構造体であって、
前記基板は、少なくとも前記１つの電子部品と前記複数の金属接点に電気的に接続され、前記メモリモジュールは、前記ハウジングの収納室に部分的に収納されており、かつ、部分的に前記収納室から露出していることを特徴とするＵＳＢメモリモジュールを有する構造体。
【請求項９】
前記ハウジングは外周部を有し、付属部品が前記外周部に取り付けられ、前記付属部品は押圧部品を取り付けるための収納部を有し、前記押圧部品は、
作動板と、
前記作動板の一端における内表面上に取り付けられている弾性部材と、
前記作動板の端部における外表面上に取り付けられている押圧部材と、
を具備し、  
前記押圧部材と前記弾性部材とは、相互に対応して取り付けられていることを特徴とする請求項８記載のＵＳＢメモリモジュールを有する構造体。
【請求項１０】
前記メモリモジュールは前記ハウジングに設けた貫通スロットを通して前記ハウジングから部分的に露出し、前記貫通スロットは前記ハウジングの２つの端に向けて伸延し、前記収納部の後端に、前記貫通スロットと対応して前記ハウジングから露出する前記メモリモジュールをカバーするように、溝が設けられることを特徴とする請求項９記載のＵＳＢメモリモジュールを有する構造体。
【請求項１１】
前記接続プラグはその側面に第３スロットを設けており、前記第３スロットに対応して前記ハウジングの内面に開口を設けられ、前記作動板の端部が前記開口を貫通して前記３スロットに嵌入当接されることを特徴とする請求項９記載のＵＳＢメモリモジュールを有する構造体。
【請求項１２】
前記接続プラグの複数の金属接点は、少なくともＵＳＢ，ミニＵＳＢ、マイクロミニＵＳＢ及びｅ−ＳＡＴＡのデジタルデータ送信仕様に適合するものであることを特徴とする請求項８記載のＵＳＢメモリモジュールを有する構造体。
【請求項１３】
前記ハウジングがペン状ハウジングであり、前記ペン状ハウジングの下端に替え芯が取り付けられていることを特徴とする請求項１記載のＵＳＢメモリモジュールを有する構造体。
【請求項１４】
前記ハウジングがペン状ハウジングであり、前記ペン状ハウジングの下端に替え芯が取り付けられていることを特徴とする請求項８記載のＵＳＢメモリモジュールを有する構造体。
【請求項１５】
前記ハウジングがペン状ハウジングであり、前記ペン状ハウジングは、着脱自在に連結された多数の部分の組み合わせからなることを特徴とする請求項１３記載のＵＳＢメモリモジュールを有する構造体。
【請求項１６】
前記ハウジングがペン状ハウジングであり、前記ペン状ハウジングは、着脱自在に連結された多数の部分の組み合わせからなることを特徴とする請求項１４記載のＵＳＢメモリモジュールを有する構造体。
【請求項１７】
前記ハウジングがペン状ハウジングであり、前記ペン状ハウジングは、その最大外径が１２mmより小さいことを特徴とする請求項１３記載のＵＳＢメモリモジュールを有する構造体。
【発明の詳細な説明】
【技術分野】
【０００１】
本発明は、ＵＳＢメモリモジュールを有する構造体、特に、メモリモジュールのハウジングから一部が露出するデータ記憶装置に関する。
【背景技術】
【０００２】
電子工業の発達に伴い、ユニバーサル・シリアル・バス（ＵＳＢ）、外部シリアルＡＴＡ、e-SＡＴＡ等の各種データ送信インターフェースが、次から次に市場に出回り、現在、一般的なデータ送信インターフェースとなっている。さらに、不揮発性メモリ（ＮＶＭ）は、その寸法を小さくしながら記憶容量が著しく増大しており、データ送信インターフェースとＮＶＭとの組み合わせ体からなる携帯データ記憶装置も近年一般に用いられるようになっている。その結果、人々のデジタル情報へのアクセスや送信をさらに容易にしている。とりわけ、フラッシュドライブとしての使用は最も典型的な携帯データ記憶装置の使用形態である。確かに、デジタル化は全ての階層の人に、より便利な生活スタイルを与えることにはなったが、必然的に、毎日の生活において携帯する物の数がますます増えている。その結果、身辺物を紛失する機会が増え、また、携帯する物の収納がより困難となる。
【０００３】
図１を参照して説明すると、台湾公開公報第Ｍ２４８６２４号記載のペン状のフラッシュドライブは、ペンハウジング（１）と、ＵＳＢ接続具（２）と、記憶装置（３）とを組み合わせたものであり、使用者は、紛失の機会を少なくしつつ、収納に悩むこともなく、フラッシュドライブを携帯することができる。しかし、ＵＳＢ接続具（２）の規格仕様及び記憶装置（３）の寸法によって、ＵＳＢ接続具（２）と記憶装置（３）とをペンハウジング（１）内に収納すると、ペンハウジング（１）の外径が過大となる。このような過大な寸法のペンハウジング（１）は、ペンの使用を不便にし、ペンの軽量化、薄肉化および短小化の要請に応えることができないことになる。このような紛失を少なくし、収納を容易にする上で、如何にして従来製品の既存の性能および寸法を維持しつつデータ記憶装置を搭載するかが重要な課題となる。
【先行技術文献】
【特許文献】
【０００４】
【特許文献１】台湾公開公報第Ｍ２４８６２４号
【発明の概要】
【発明が解決しようとする課題】
【０００５】
本発明は、確実にデータ記憶モジュールを付加的に取り付けることができ、製品の外径を大きくすることなくデータ記憶機能を保有することができ、多機能化を図ることができるＵＳＢメモリモジュールを有する構造体を提供することを目的とする。
【０００６】
上記した目的を、以下の技術的特徴で達成するため、ＵＳＢメモリモジュールを有する構造体は、ハウジングと、データ記憶装置とを具備する。
【０００７】
ハウジングは、中空で内部に収納室を有する。データ記憶装置は、折畳み自在な接続プラグとメモリモジュールとを具備する。折畳み自在な接続プラグは、支持座と、第１折畳み部と、第２折畳み部とを具備する。支持座は前端を有する。第１折畳み部は、支持座の前端に取り付けられた後端と、複数の第１金属接点とを有する。第２折畳み部は複数の第２金属接点とを有する。メモリモジュールは、基板と、少なくとも１つの電子部品とを具備する。基板は、内表面と外表面とを有する。少なくとも１つの電子部品は、基板の内表面に取り付けられている。複数の第３の金属接点が基板の外表面に取り付けられている。基板は、少なくとも１つの電子部品と複数の第３の金属接点に電気的に接続されている。第１折畳み部の複数の第１金属接点と、第２折畳み部の複数の第２金属接点とは、複数の導電体を介して、複数の第３の金属接点に電気的に接続されている。メモリモジュールは、ハウジングの収納室に部分的に収納されており、かつ、部分的に収納室から露出している。
【０００８】
好ましくは、前記折畳み自在な接続プラグは、前記ハウジングの前記収納室内に収納される。
【０００９】
好ましくは、前記折畳み自在な接続プラグの前記第１折畳み部と前記第２折畳み部が前記ハウジングから露出し、筒状体が前記ハウジングに組み合わされ、組み合わせ体内に第１折畳み部と前記第２折畳み部とが収納される。
【００１０】
好ましくは、替え芯を有するペンが前記筒状体の下端に取り付けられている。
【００１１】
好ましくは、前記ハウジングは外周部を有し、付属部品が前記外周部に取り付けられている。
【００１２】
好ましくは、前記付属部品は押圧部品を取り付けるための収納部を有し、前記押圧部品は、作動板と、押圧部材と、弾性部材とを具備している。押圧部材は前記作動板の端部における外表面上に取り付けられ、弾性部材は前記作動板の一端における内表面上に取り付けられ、前記押圧部材と前記弾性部材とは、相互に対応して取り付けられている。
【００１３】
好ましくは、前記押圧部材は付属部品から部分的に露出している。
【００１４】
好ましくは、前記ハウジングから露出する前記メモリモジュールを覆うため、前記収納部の後端に溝が設けられている。
【００１５】
好ましくは、前記 第１折畳み部は側面に第１スロットを有し、前記 第２折畳み部は側面に第２スロットを有し、前記第１スロットと前記第２スロットとは隣接して設けられ、前記第1スロットと前記第２スロットに対応して前記ハウジングの内面を貫通して開口が設けられ、前記作動板の端部が前記１スロットと前記第２スロットに、前記開口を貫通して嵌入当接される。
【００１６】
好ましくは、前記導電体は負荷板上に取り付けられ、前記負荷板は前記第１折畳み部と前記支持座の下面に固着される。
【００１７】
好ましくは、前記導電体は、配線、金属バンプ、金属板、又は配線、金属バンプ、金属板の組み合わせ体から選択される。
【００１８】
好ましくは、前記第１折畳み部の前記第１金属接点及び前記第２折畳み部の前記第２金属接点は、少なくともＵＳＢ，ミニＵＳＢ、マイクロＵＳＢ及びｅ−ＳＡＴＡの送信仕様に適合するものである。
【００１９】
好ましくは、前記第１折畳み部と前記支持座は一体的に形成されている。
【００２０】
好ましくは、前記ハウジングは内部にストッパーを設けており、ストッパーは前記メモリモジュールに当接している。
【００２１】
好ましくは、少なくとも１つの弾性部材が、ストッパーと支持座の間に設けられる。
【００２２】
好ましくは、少なくとも１つの各電子部材は、少なくとも１つの制御装置と、少なくとも１つの受動素子と、少なくとも１つのメモリーチップからなる。
【００２３】
本発明の他の目的は、以下の手段を用いて技術的課題を解決することができるＵＳＢメモリモジュールを有する構造体、及び、ＵＳＢメモリモジュール、ハウジング及びデータ記憶装置を有する構造体を提供することにある。
【００２４】
ハウジングは、中空で内部に収納室を有する。データ記憶装置は、接続プラグとメモリモジュールとを具備する。接続プラグは、ハウジングの収納室内に配置されており、支持座と、複数の金属接点とを有する。支持座は前端と後端を有する。前端は接続プラグの後端に取り付けられている。メモリモジュールは、前端と、基板と、少なくとも１つの電子部品とを具備する。前端は、支持座の後端に取り付けられている。基板は、内表面と外表面とを有する。少なくとも１つの電子部品が、基板の内表面に取り付けられている。基板は、少なくとも１つの電子部品と接続プラグの複数の金属接点に電気的に接続されている。メモリモジュールは、ハウジングの収納室に部分的に収納されており、かつ、収納室から部分的に露出している。
【００２５】
好ましくは、前記ハウジングは外周部を有し、付属部品が前記外周部に取り付けられ、前記付属部品は押圧部品を取り付けるための収納部を有し、押圧部品は、作動板と、弾性部材と、押圧部とを具備する。弾性部材は、作動板の一端において、内面に取り付けられている。押圧部は、作動板の他端において、弾性部材と対応した状態で外面に取り付けられている。
【００２６】
好ましくは、前記押圧部材は付属部品から部分的に露出している。
【００２７】
好ましくは、メモリモジュールは、ハウジングに設けた貫通スロットを通してハウジングから一部露出し、貫通スロットはハウジングの２つの端に向けて伸延し、貫通スロットに対応した状態で収納部の後部に形成され、ハウジングから露出するメモリモジュールを覆うようにしている。
【００２８】
好ましくは、その側面に第３スロットを設けており、かつ、第３スロットに対応してハウジングの内面に貫通状態に開口を形成され、作動板の端部が開口を貫通して第３スロットに当接するようにしている。
【００２９】
好ましくは、接続プラグの前記複数の金属接点は、少なくともＵＳＢ，ミニＵＳＢ、マイクロＵＳＢ及びｅ−ＳＡＴＡ送信インターフェースのデジタルデータ送信仕様に適合する。
【００３０】
好ましくは、前記接続プラグと前記支持座は一体的に形成されている。
【００３１】
好ましくは、前記ハウジングは内部にストッパーを設けており、ストッパーは前記メモリモジュールに当接している。
【００３２】
好ましくは、少なくとも１つの弾性部材がストッパーと支持座の間に設けられる。
【００３３】
好ましくは、少なくとも１つの電子部材の各々が、少なくとも１つの制御装置と、少なくとも１つの受動部材と、少なくとも１つのメモリーチップからなる。
【００３４】
好ましくは、前記ハウジングがペン状ハウジングであり、前記ペン状ハウジングの下端に替え芯が取り付けられている。
【００３５】
好ましくは、前記ハウジングがペン状ハウジングであり、前記ペン状ハウジングの下端に替え芯が取り付けられている。
【００３６】
好ましくは、前記ペン状ハウジングは、着脱自在に連結された多数の部分の組み合わせからなることが望ましい。
【００３７】
好ましくは、付属品はペンクリップである。
【００３８】
好ましくは、前記ペン状ハウジングは、その最大外径が１２mmより小さい。
【発明の効果】
【００３９】
従来技術と比較して、本発明は、製品とメモリモジュールの組み合わせ体を新規に設計することによって、製品の外径を増大することなくデータ記憶装置を追加することができるようにしたものである。従って、製品は、いままでの機能と寸法を維持でき、かつ、データ記憶機能も有するので、本発明は多機能製品を提供することになる。
【図面の簡単な説明】
【００４０】
【図１】ＵＳＢメモリ装置を具備する従来のペンの断面図である。
【図２】本発明に係るＵＳＢメモリモジュールを具備する構造体の第１実施例を示す破壊図である。
【図３】本発明に係るＵＳＢメモリモジュールを具備する構造体の第１実施例を示す断面図である。
【図４】本発明に係るＵＳＢメモリモジュールを具備する構造体の第１実施例を示す他の断面図である。
【図５】本発明に係る複数の導電体を通してメモリモジュールの金属接点と電気的に接続される、第１の好ましい実施例における第１折畳み部と第２折畳み部の金属接点の斜視図である。
【図６】本発明に係る第１の好ましい実施例における、接続プラグおよび押圧部品の斜視図である。
【図７】本発明に係るメモリモジュールを具備する構造体の第２の好ましい実施例を示す破壊図である。
【図８】本発明に係るメモリモジュールを具備する構造体の第二の好ましい実施例を示す断面図である。
【図９】本発明に係るメモリモジュールを具備する構造体の第２の好ましい実施例を示す他の断面図である。
【図１０】本発明に係る第２の好ましい実施例の接続プラグおよび押圧部品の斜視図である。
【図１１】本発明に係るメモリモジュールを具備する構造体の第３の好ましい実施例を示す断面図である。
【図１２】本発明に係るメモリモジュールを具備する構造体の第４の好ましい実施例を示す断面図である。
【図１３】本発明に係るメモリモジュールを具備する構造体の第５の好ましい実施例を示す破壊図である。
【図１４】本発明に係るメモリモジュールを具備する構造体の第５の好ましい実施例を示す断面図である。
【図１５】本発明に係るメモリモジュールを具備する構造体の第５の好ましい実施例を示す他の断面図である。
【図１６】本発明に係る複数の導電体を通してメモリモジュールの金属接点と電気的に接続される、第５の好ましい実施例における第１折畳み部と第２折畳み部の金属接点の斜視図である。
【発明を実施するための形態】
【００４１】
本発明における、前述のおよび他の特徴と利点は、図面を参照にした以下の好ましい実施例によってさらに明確に理解されよう。
【００４２】
図２および３を参照して説明すると、本発明に係るＵＳＢメモリモジュールを有する構造体の第１の好ましい実施例は、ハウジング（１０）とデータ記憶装置（２０）を有する。ハウジング（１０）は、中空でその内部に収納室（１１）を有する。好ましくは、付属部品（１２）は、ハウジング（１０）の外周部（１０１）に取り付けられ、押圧部品（１３）を取り付けるための収納部（１２１）を有する。押圧部品（１３）は、押圧部材（１３１）と、弾性部材（１３２）と、作動板（１３３）とを有する。弾性部材（１３２）が作動板（１３３）の一端における内表面（１３３１）上に取り付けられている。押圧部材（１３１）が作動板（１３３）の一端における外表面（１３３２）上に取り付けられている。押圧部材（１３１）と弾性部材（１３２）とが、相互に対応した状態で取り付けられている。好ましくは、弾性部材（１３２）として、圧縮バネを用いることができる。また、押圧部材（１３１）の一部が付属部品（１２）から露出している。データ記憶装置（２０）は、折畳み自在な接続プラグ（２１）とメモリモジュール（２２）とを有する。折畳み自在な接続プラグ（２１）は、図４に示すように、ハウジング（１０）の収納室（１１）に収納されており、第１折畳み部（２１１）と、第２折畳み部（２１２）と、支持座（２１３）とを有する。第１折畳み部（２１１）の後端は、支持座（２１３）の前端に取り付けられている。第１折畳み部（２１１）と第２折畳み部（２１２）は、それぞれ複数の金属接点（２１１１）（２１２１）を有する。好ましくは、これらの金属接点（２１１１）（２１２１）は、ＵＳＢ、ミニＵＳＢ、マイクロＵＳＢおよびｅ−ＳＡＴＡ伝送インターフェースのうちの少なくとも１つのデジタルデータ伝送仕様に適合できる。さらに、メモリモジュール（２２）は、ハウジング（１０）の収納室（１１）に部分的に収納され、ハウジング（１０）から部分的に露出するようにしてもよい。好ましくは、収納部（１２１）の後端に、ハウジング（１０）から露出するメモリモジュール（２２）を覆う溝（１２２）が設けられている。好ましくは、蓋（１２３）が、ハウジング（１０）から露出するメモリモジュール（２２）全体を覆うようにして、ハウジング（１０）の外周部（１０１）に取り付けられている。
【００４３】
図４を参照して説明すると、メモリモジュール（２２）は、基板（２２１）と、少なくとも１つの電子部品（２２２）を有する。基板（２２１）は、内表面（２２１１）と外表面（２２１２）とを有する。少なくとも１つの電子部品（２２２）が基板（２２１）の内表面（２２１１）上に取り付けられている。複数の金属接点（２２１３）が基板（２２１）の外表面（２２１２）上に取り付けられている。少なくとも１つの電子部品（２２２）は、それぞれ、少なくとも１つの制御装置（２２２１）と、少なくとも１つの受動素子（２２２２）と、少なくとも１つのメモリチップ（２２２３）とを有する。好ましくは、基板（２２１）は、その内部に導電性バイアと回路（図示しない）とを有する高密度多層プリント配線基板であり、基板（２２１）上に配置した少なくとも１つの電子部品（２２２）および金属接点（２２１３）と電気的に接続されている（図示しない）。
【００４４】
図５を参照して説明すると、第１折畳み部（２１１）と第２折畳み部（２１２）の金属接点（２１１１）（２１２１）は、複数の導電体（２３）を介して基板（２２１）の複数の金属接点（２２１３）と電気的に接続されている。好ましくは、図４を参照してさらに説明すると、これらの導電体（２３）は、負荷板（２３１）上に取り付けられていてもよく、負荷板（２３１）は、第１折畳み部（２１１）と支持座（２１３）の下面に固着されていてもよい。導電体（２３）は、ワイヤ、金属パンプ、金属シートのうちの少なくとも１つ、あるいはそれらの組み合わせ体からなる。
【００４５】
また、第１折畳み部（２１１）と支持座（２１３）は一体的に又は着脱自在に形成できるが、第１の好ましい実施例においては、第１折畳み部（２１１）と支持座（２１３）は一体的に形成されている。
【００４６】
図３および図６を参照して説明すると、第１折畳み部（２１１）は、その側面に第１スロット（２１１２）を有し、第２折畳み部（２１２）は、その側面に第２スロット（２１２２）を有する。第１スロット（２１１２）と第２スロット（２１２２）は、隣接して設けられている。開口（１０２）は、第１スロット（２１１２）と第２スロット（２１２２）に対応してハウジング（１０）の内面に貫通状態に設けられ、作動板（１３３）の端部（１３３３）が開口（１０２）を貫通して第１スロット（２１１２）と第２スロット（２１２２）に嵌入当接されるようになっている。図４を参照して説明すると、ストッパ（１４）がハウジング（１０）の内側に取り付けられ、メモリモジュール（２２）に当接する。少なくとも１つの弾性部材（１５）がストッパ（１４）と支持座（２１３）との間に取り付けられている。好ましくは、少なくとも１つの弾性部材（１５）は圧縮バネからなる。上記した構成により、使用者が折畳み自在な接続プラグ（２１）をハウジング（１０）の収納室（１１）に収納し、押圧部材（１３１）に力を付加すると、弾性部材（１３２）は、この力の付加と同時に圧縮されることになる。好ましくは、枢支点（１３４）が作動板（１３３）の内側に設けられている。使用者が押圧部材（１３１）に力を付加し、弾性部材（１３２）が圧縮された場合には、作動板（１３３）の端部（１３３３）は、第１スロット（２１１２）と第２スロット（２１２２）から離脱する。一方、支持座（２１３）とストッパ（１４）との間の弾性部材（１５）は与圧から解放され、第１折畳み部（２１１）および第２折畳み部（２１２）を収納室（１１）の外へ押し出す。第２折畳み部（２１２）が折畳状態から開き、第２折畳み部（２１２）と第１折畳み部（２１１）が面一状態となり、これらの折畳み部（２１１）（２１２）は、データ伝送のためのデータ伝送インターフェースを有する電子装置（図示しない）と電気的に接続可能な状態となる。さらに、ハウジング（１０）は異なる形態とすることもでき、又、ペン、名刺入れ、キーホルダ、筆箱、電灯装置など、他の商品の付属品としても用いることもできる。
【００４７】
図７〜図９を参照して、本発明に係るＵＳＢメモリモジュールを有する構造体の第２実施例を説明する。図２〜図６に示す第１実施例に係る部品と類似の部品については、図７〜図９において、以下、同一の参照番号を付して、繰り返して説明しない。
【００４８】
第２実施例は、第１メモリモジュール（２２）および接続プラグ（３１）を有するデータ記憶装置（３０）において、第１実施例と異なる。即ち、本実施例では、第１実施例における折畳み自在な接続プラグ（２１）に代えて、接続プラグ（３１）を用いている。接続プラグ（３１）は、図９に示すように、ハウジング（１０）の収納室（１１）に収納され、その後端は支持座（３３）の前端に固着されている。支持座（３３）の後端は、メモリモジュール（２２）の前端に取り付けられている。好ましくは、接続プラグ（３１）と支持座（３３）は一体的に形成することもできる。また、接続プラグ（３１）は、複数の金属接点（３１１）を有する。好ましくは、これらの金属接点（３１１）は、ＵＳＢ、ミニＵＳＢ、マイクロＵＳＢおよびｅ−ＳＡＴＡ伝送インターフェースのうちの少なくとも１つのデジタルデータ伝送仕様に適合できる。メモリモジュール（２２）は、ハウジング（１０）の収納室（１１）に部分的に収納され、ハウジング（１０）の貫通スロット（１０３）を通してハウジングから部分的に露出するようにしてもよい。また、貫通スロット（１０３）がハウジング（１０）の２つの端（両端）に向けて伸延している。好ましくは、付属部品（１２）の収納部（１２１）の後方側の溝（１２２）は、貫通スロット（１０３）に対応し、ハウジング（１０）から露出するメモリモジュール（２２）を覆うことができる。図９を参照して説明すると、メモリモジュール（２２）は、基板（２２１）と、少なくとも１つの電子部品（２２２）を有する。基板（２２１）は、内表面（２２１１）と外表面（２２１２）とを有する。少なくとも１つの電子部品（２２２）が基板（２２１）の内表面（２２１１）に取り付けられている。基板（２２１）は、少なくとも１つの電子部品（２２２）と接続プラグ（３１）の金属接点（３１１）とに電気的に接続されている。電気的な接続方法は一般技術に属するものなので、電気的接続のために第１実施例で述べたような導電体（２３）の使用に加えて、他の接続手段を同様に使用できる。これらの接続手段については自明なので詳細な説明を省略する。
【００４９】
図８〜図１０を参照して説明すると、第３スロット（３１２）が接続プラグ（３１）の側面に設けられている。開口（１０２）が第３スロット（３１２）に対応してハウジング（１０）の内面に貫通状態に設けられ、作動板（１３３）の端部（１３３３）が、開口（１０２）を貫通して第３スロット（３１２）に嵌入当接される。
【００５０】
上記の相違点以外の構成については、第２実施例は、第１実施例と同様である。上記した構成によって、使用者が接続プラグ（３１）をハウジング（１０）の収納室（１１）に収納し、押圧部材（１３１）に力を付加すると、弾性部材（１３２）が圧縮される。好ましくは、枢支点（１３４）は、作動板（１３３）の内側に設けられる。従って、押圧部材（１３１）が押された場合には、弾性部材（１３２）が圧縮され、作動板（１３３）の端部（１３３３）が作動板（１３３）から離脱する。一方、支持座（２１３）とストッパ（１４）の間にある弾性部材（１５）は与圧から解放され、接続プラグ（３１）を収納室（１１）の外へ押し出す。従って、接続プラグ（３１）は、データ伝送を行うために、データ伝送インターフェースを備えた電子装置（図示しない）と電気的に接続可能な状態となる。また、ハウジング（１０）は、異なる形態とすることもでき、又、ペン、名刺入れ、キーホルダ、筆箱、電灯装置など、他の商品の付属品として用いることもできる。
【００５１】
図１１を参照して、本発明に係るＵＳＢメモリモジュールを有する構造体の第３実施例を説明する。図２〜図６に示す第１実施例に係る部品と類似の部品については、図１０において同一の参照番号を付して、以下繰り返して説明しない。第３実施例は、ハウジング（１０）がペン状ハウジング（４０）であり、替え芯（４１）がペン状ハウジング（４０）の下端に取り付けられており、ペン状ハウジング（４０）が着脱自在に連結された多数の部品の組み合わせからなり、付属部品（１２）がペンクリップであり、ペン状ハウジング（４０）の最大外径が１２ｍｍ以下である点においてのみ、第１実施例と異なる。前述の相違点を除いて、第３実施例は第１実施例と同じである。
【００５２】
図１２を参照して、本発明に係るＵＳＢメモリモジュールを有する構造体の第４実施例を説明する。図７〜図１０に示す第２実施例に係るＵＳＢメモリモジュールを有する構造体と類似のものについては、図１２において同一の参照番号を付して、以下繰り返して説明しない。第４実施例は、ハウジング（１０）がペン状ハウジング（４０）であり、替え芯（４１）がペン状ハウジング（４０）の下端に取り付けられており、ペン状ハウジング（４０）が着脱自在に連結された多数の部品の組み合わせからなり、付属部品（１２）がペンクリップである点においてのみ、第２実施例と異なる。前述の相違点を除いて、第４実施例は第２実施例と同じである。
【００５３】
図１３〜図１６を参照して、本発明に係るＵＳＢメモリモジュールを有する構造体の第５実施例を説明する。図２〜図６に示す第１実施例に係るＵＳＢメモリモジュールを有する構造体と類似のものについては、図１３〜１６において同じ参照番号を付している。
【００５４】
図１３を参照して説明すると、ＵＳＢメモリモジュールを有する構造体の第５実施例は、ハウジング（１０）とデータ記憶装置（２０）を有する。ハウジング（１０）は、中空でその内部に収納室（１１）を有する。データ記憶装置（２０）は、折畳み自在な接続プラグ（２１）とメモリモジュール（２２）とを有する。折畳み自在な接続プラグ（２１）は、第１折畳み部（２１１）と、第２折畳み部（２１２）と、支持座（２１３）とを有する。図１５を参照して説明すると、支持座（２１３）は収納室（１１）に収納されており、一方、第１折畳み部（２１１）と第２折畳み部（２１２）は、ハウジング（１０）から露出している。好ましくは、筒状体（５０）の一端がハウジング（１０）を帽子状に覆い、その内部に第１折畳み部（２１１）と第２折畳み部（２１２）を収納している。好ましくは、替え芯（５１）が筒状体（５０）の他端に取り付けられ、全体としてペン構造をなしている。図１4を参照して説明すると、第１折畳み部（２１１）の後端は、支持座（２１３）の前端に取り付けられている。また、第１折畳み部（２１１）と第２折畳み部（２１２）は、それぞれ複数の金属接点（２１１１、２１２１）を有する。好ましくは、これらの金属接点（２１１１）（２１２１）は、ＵＳＢ、ミニＵＳＢ、マイクロＵＳＢおよびｅ−ＳＡＴＡ伝送インターフェースのうちの少なくとも１つのデジタルデータ伝送仕様に適合できる。さらに、メモリモジュール（２２）は、ハウジング（１０）の収納室（１１）に部分的に収納され、ハウジング（１０）から部分的に露出するようにしてもよい。更に、付属部品（１２）の後端に、ハウジング（１０）から露出するメモリモジュール（２２）を覆う溝（１２２）が設けられている。好ましくは、蓋（１２３）が、ハウジング（１０）から露出するメモリモジュール（２２）全体を覆うようにして、ハウジング（１０）の外周部（１０１）に取り付けられている。
【００５５】
図１６を参照して説明すると、メモリモジュール（２２）は、基板（２２１）と、少なくとも１つの電子部品（２２２）を有する。基板（２２１）は、内表面（２２１１）と外表面（２２１２）とを有する。少なくとも１つの電子部品（２２２）が基板（２２１）の内表面（２２１１）上に取り付けられている。複数の金属接点（２２１３）が基板（２２１）の外表面（２２１２）上に取り付けられている。少なくとも１つの電子部品（２２２）は、それぞれ、少なくとも１つの制御装置（２２２１）と、少なくとも１つの受動素子（２２２２）と、少なくとも１つのメモリチップ（２２２３）とを有する。好ましくは、基板（２２１）は、その内部に導電性バイアと回路（図示しない）とを有する高密度多層プリント配線基板であり、基板（２２１）上に配置した少なくとも１つの電子部品（２２２）および金属接点（２２１３）と電気的に接続されている（図示しない）。
【００５６】
図１４〜図１６を参照してさらに説明すると、第１折畳み部（２１１）と第２折畳み部（２１２）の金属接点（２１１１）（２１２１）は、複数の導電体（２３）を介して基板（２２１）の複数の金属接点（２２１３）と電気的に接続されている。好ましくは、これらの導電体（２３）は、負荷板（２３１）上に取り付けられていてもよい。負荷板（２３１）は、第１折畳み部（２１１）と支持座（２１３）の下面に固着されていてもよい。導電体（２３）は、ワイヤ、金属パンプ、金属シートのうちの少なくとも１つ、あるいはそれらの組み合わせ体からなる。もちろん、折畳み自在な接続プラグ（２１）と基板（２２１）との間の電気的接続は、前述の手段に限定されるものではない。また、第１折畳み部（２１１）と支持座（２１３）は一体的に又は着脱自在に形成できるが、第５の好ましい実施例においては、第１折畳み部（２１１）と支持座（２１３）は一体的に形成されている。第２折畳み部（２１２）と第１折畳み部（２１１）が面一状態となり、データ伝送インターフェースを有する電子装置（図示しない）と電気的に接続されているので、データ伝送が可能となる。
【産業上の利用可能性】
【００５７】
要約すれば、本発明は、製品とメモリモジュールの組み合わせ体を新規に設計することによって、製品の外径を増大することなくデータ記憶装置を追加することができる、ＵＳＢメモリモジュールを有する構造体を開示するものである。従って、製品は、いままでの機能と寸法を維持でき、かつ、データ記憶機能も有するので、本発明は多機能製品を提供することになる。
【００５８】
本発明を現時点で最も実用的でかつ好ましいと思われる実施例を参照して説明してきたが、本発明は、開示された実施例に限定されるものではない。むしろ、本発明は、添付の請求項の要旨及び範囲内でなされる各種変容例や同様な構成も含むものである。即ち、添付の請求項は広く解釈されるべきであり、請求項記載の発明に、そのような変容例や同様構成が包摂される。
【符号の説明】
【００５９】
１０      ハウジング
１０１    外周部
１１      収納室
１２      付属部品
１２１    収納部
１２２    溝
１２３    蓋
１３      押圧部品
１３１    押圧部材
１３２    弾性部材
１３３    作動板
１３３１  内表面
１３３２  外表面
２０      データ記憶装置
２１      接続プラグ
２１１    第１折畳み部
２１２    第２折畳み部
２１３    支持座
２１１１  金属接点
２１２１  金属接点
２２      メモリモジュール
【図１】
2011123858.tif 000003
【図２】
2011123858.tif 000004
【図３】
2011123858.tif 000005
【図４】
2011123858.tif 000006
【図５】
2011123858.tif 000007
【図６】
2011123858.tif 000008
【図７】
2011123858.tif 000009
【図８】
2011123858.tif 000010
【図９】
2011123858.tif 000011
【図１０】
2011123858.tif 000012
【図１１】
2011123858.tif 000013
【図１２】
2011123858.tif 000014
【図１３】
2011123858.tif 000015
【図１４】
2011123858.tif 000016
【図１５】
2011123858.tif 000017
【図１６】
2011123858.tif 000018